(57)【特許請求の範囲】
【請求項１】
座位用下衣において、腰部から大腿部にたて方向に切り欠かれた第１のダーツを設けそれを縫い合わせた前身頃と、上記腰部から上記大腿部にたて方向に切り欠かれた第２のダーツを設けそれを縫い合わせた後身頃を備え、且つ仕上がり形態を側面から見たとき、上記腰部に対して上記大腿部が約８０度ないし１６０度の角度で前方に屈曲するよう仕立てられた座位用下衣。
【請求項２】
座位用下衣において、腰部から大腿部にたて方向に切り欠かれた第１のダーツを設けそれを縫い合わせた前身頃と、上記腰部から下腿部にたて方向に切り欠かれた第２のダーツを設けそれを縫い合わせた後身頃を備え、且つ仕上がり形態を側面から見たとき、上記腰部に対して上記大腿部が約８０度ないし１６０度の角度で前方に屈曲すると共に，上記腰部に対してほぼ平行となるように上記下腿部が仕立てられた座位用下衣。
【発明の詳細な説明】
【０００１】
【産業上の利用分野】
本発明は、座姿勢をとり続ける事務員、陶工、運転手等の労働者や車椅子を使用する肢体不自由者が身につける座位用下衣に関するものである。
【０００２】
【従来の技術】
下衣は、一般的に、立姿勢に基づき設計製作されたものが多数である。また、肢体不自由者用の下衣としては、介助する人にとっての着脱し易さ、あるいは下着類の取り替え易さなどを考慮したものは多数知られている。一方、座位という特殊な姿勢をとり続ける人たちのために、快適な着心地や保温性を考慮したものはみあたらない。
【０００３】
身体が不自由な高齢者のための衣服には、着脱を容易にするために輪形状をした引掛部を取り付けたものや、起立を容易にするために介助者と被介助者の両着衣に取手状のつかみ部を設けたものがあるが、起立や排泄、着座といった様々な体位変換に対応し、かつ、安全に身体を支えることを考慮したものはみあたらない。
【０００４】
【発明が解決しようとする課題】
事務員、陶工、運転手等や日常生活の殆どにおいて車椅子を使用する肢体不自由者のような座姿勢をとり続ける人たちが、立姿勢をもとに設計された従来の下衣を着用し、着座した場合に生ずる背中の露出とそれに起因する冷えや足首の露出と足下からの冷え、腹部や股、大腿部への圧迫感を解消するために、座姿勢に合わせて衣服を設計することが望まれている。この発明は、座姿勢に合わせ、これらの課題を解消する下衣の提供を目的とする。しかも、座姿勢に沿った必要以上の衣服のゆとりを持たない形状であるため、衣服全体の保温性が向上するという効果がある。
【０００５】
座姿勢をとり続ける事務員や陶工、運転手等の労働者が作業終了時に、疲労や高齢による身体機能の低下から、容易に立つことができず介助する必要が有る場合や、車椅子を使用する肢体不自由者が起立や排泄、着座する場合に、介助者が被介助者の身体を支えるものが衣服に望まれていた。また、衣服に輪形状をした引掛部を付けたものや、介助者と被介助者の両着衣に取手状のつかみ部を設けたものは、それそのものを周囲にある障害物に引っ掛けて転倒する恐れがある。この発明は、これらの点に注目し、様々な体位変換に対応し被介助者の身体を支え、かつ、安全性の高い下衣を提供するものである。
【０００６】
【課題を解決するための手段】
上記目的を達成するために、本発明の座位用下衣は、腰部から大腿部にたて方向に切り欠かれた第１のダーツを設けそれを縫い合わせた前身頃と、上記腰部から上記大腿部にたて方向に切り欠かれた第２のダーツを設けそれを縫い合わせた後身頃を備え、且つ仕上がり形態を側面から見たとき、上記腰部に対して上記大腿部が約８０度ないし１６０度の角度で前方に屈曲するよう仕立てられたものである。
【０００７】
本発明の座位用下衣は、腰部から大腿部にたて方向に切り欠かれた第１のダーツを設けそれを縫い合わせた前身頃と、上記腰部から下腿部にたて方向に切り欠かれた第２のダーツを設けそれを縫い合わせた後身頃を備え、且つ仕上がり形態を側面から見たとき、上記腰部に対して上記大腿部が約８０度ないし１６０度の角度で前方に屈曲すると共に，上記腰部に対してほぼ平行となるように上記下腿部が仕立てられたものである。
【００１２】
【発明の実施の形態】
本発明の実施の形態を一実施例に基づき図面を参照して説明する。
【００１３】
第１の実施例について図１を参照して説明する。図１に示すのは、座位用下衣であって、長ズボンの形状をしており、座った時に無理のない衣服形状として、仕上がり形態を側面から見たとき、腰部１のセンターラインＬａと大腿部２のセンターラインＬｂとによる角度Ｋが約８０度ないし１６０度の角度で前方に屈曲すると共に、下腿部３のセンターラインＬｃは、上記腰部１のセンターラインＬａに対してほぼ平行になるように仕立てられたものである。さらに、ウエスト、ヒップ、大腿の周囲長、フクラハギの周囲長、前身頃の長さ、後身頃の長さを座姿勢用に調整したものである。図２に、立姿勢に基づいて設計された従来の長ズボンの型紙形状の一例を示す。ズボンの右半分すなわち右身頃の型紙形状である。左身頃は、対称形状であるので、ここでは省略する。図２（ａ）が右前身頃、図２（ｂ）が右後身頃の形状である。図３に、本発明の座位用下衣の長ズボンの型紙形状の一例を示す。図２の型紙に比べ、図３（ａ）の右前身頃は、変形され、腰部１から大腿部２にたて方向に切り欠かれた第１のダーツＤａが設けられている。このダーツを縫い合わせることで、この座位用下衣の右身頃の上記腰部１から上記大腿部２、上記大腿部２から下腿部３にかけての屈曲した前側形状が形成される。同様に、図３（ｂ）の右後身頃の腰部１から下腿部３にたて方向に切り欠かれた第２のダーツＤｂを縫い合わせることで、右身頃の上記腰部１から大腿部２、大腿部２から上記下腿部３にかけての屈曲した後側形状が形成される。さらに、その右前身頃と右後身頃を縫い合わせることで、ズボンの右半分の立体的な仕上がり形態を、数少ない型紙すなわち縫製パーツで作製することができる。
【００１４】
本発明の第２の実施例について図４を参照して説明する。図４に示すように、座位用下衣は、スカート、半ズボン、キュロットスカート形状でもよく、座った時に無理のない衣服形状として、仕上がり形態を側面から見たとき、腰部１のセンターラインＬａと大腿部２のセンターラインＬｂとによる角度Ｋが約８０°ないし１６０°の角度で前方に屈曲した形態になるように仕立てられたものである。さらに、ウエスト、ヒップ、大腿の周囲長、前身頃の長さ、後身頃の長さを座姿勢用に調整したものである。
【００１５】
本発明の第３の実施例について図５を参照して説明する。図５のように、ポケット５を下衣の腰部１の前側２箇所に設ける。介助者が被介助者の体を支えるためのポケット５は、下から指を入れて体を支持するために腰部１に開口部６を下向きに取り付けられ、かつ、マチのない形状にすることで、周囲の障害物へ引っ掛けて転倒する危険性を極めて減少させたものである。
【００１６】
本発明の第４の実施例について図６を参照して説明する。図６のように、下衣の腰部１の後側２箇所にポケット５を設ける場合もある。この場合もポケット５は、下向きに取り付けられ、かつ、マチのない形状にする。
【００１７】
本発明の第５の実施例について図７を参照して説明する。図７のように、下衣の腰部１の前側２箇所、後側２箇所の計４箇所にポケット５を設ける場合もある。この場合もポケット５は、下向きに取り付けられ、かつ、マチのない形状にする。
【００１８】
本発明の第６の実施例について図８を参照して説明する。図８のように、下衣の腰部１周囲に４箇所以上の複数個のポケット５を設ける場合もある。この場合もポケット５は、下向きに取り付けられ、かつ、マチのない形状にする。
【００１９】
図７に示す４個のポケット５の場合で、ポケット５の設置目的を説明する。本発明の第７の実施例について図９を参照して説明する。座姿勢をとる事務員や陶工、運転手等で疲労や高齢による身体機能の低下から作業終了時に容易に立つことが困難で介助を必要とする場合や、車椅子を使用する肢体不自由者の起立を助ける場合を図９に示す。介助者が被介助者に向き合い、図９に示すように被介助者の座位用下衣の前側の右ポケット５ａに左手を入れ、後側の左ポケット５ｃに右手を回して入れ、被介助者を持ち上げる。また、介助者の利き手や状況に合わせ、被介助者の座位用下衣の前側の左ポケット５ｂに右手を入れ、後側の右ポケット５ｄに左手を回して入れ、被介助者を持ち上げることも可能である。いずれも、被介助者の周囲に障害物がある場合、つかみ部が取手状や輪形状では引っ掛かり転倒する危険性がある。これらポケット５ａ、５ｂ、５ｃ、５ｄは、マチがなく下向きに取り付けられた形状であるため、安全性は高い。
【００２０】
本発明の第８の実施例について図１０を参照して説明する。図１０に、介助者が、車椅子を使用する肢体不自由者の着座を助ける場合を示す。介助者が、着座しようとする被介助者に向き合い、図１０に示す被介助者の座位用下衣の前側の右ポケット５ａに左手を入れ、前側の左ポケット５ｂに右手を入れ、手前に引くように被介助者を前側から支えて、引く力を徐々にゆるめながら着座させる。この場合でも、ポケット５ａと５ｂは、腰部１に一体化したマチのない形状で突起していないため、引っ掛かり難く、安全性は高い。
【００２１】
本発明の第９の実施例について図１１を参照して説明する。図１１に、介助者が、車椅子を使用する肢体不自由者の排泄時の便座への移乗を助ける場合を示す。介助者が被介助者の後側で、図１１に示すように座位用下衣の後側の左ポケット５ｃに左手を入れ、後側の右ポケット５ｄに右手を入れ、持ち上げるように被介助者を後側から支え、便座へ移乗させる。この場合でも、ポケット５ｃと５ｄは、腰部１に一体化したマチのない形状であるため、引っ掛かり難く、安全性は高い。
【００２２】
【発明の効果】
本発明の座位用下衣は、第１に、スカートや半ズボン、キュロットスカートの場合、座位の身体形状に沿って腰部と大腿部が屈曲した形状を有しているため、座った時の腹部、股の圧迫感や背中の露出やそれに起因する冷えを解消する。第２に、長ズボンにおいては座位の身体形状に沿って腰部と大腿部、さらに大腿部と下腿部がそれぞれ屈曲した形状を有しているため、座った時の腹部、股、大腿部の圧迫感や背中、足首の露出や各々に起因する冷えを解消する。この座位用下衣を着用することで、着座時の快適性の向上や着用者の自立を支援することができる。また、数少ない型紙すなわち縫製パーツで作製することができる。
【図面の簡単な説明】
【図１】本発明の第１の実施例を示す右側面図である。
【図２】本発明の第１の実施例に関わる従来の下衣の右身頃の型紙形状を示す平面図である。
【図３】本発明の第１の実施例の右身頃の型紙形状を示す平面図である。
【図４】本発明の第２の実施例を示す右側面図である。
【図５】本発明の第３の実施例を示す斜視図である。
【図６】本発明の第４の実施例を示す斜視図である。
【図７】本発明の第５の実施例を示す斜視図である。
【図８】本発明の第６の実施例を示す斜視図である。
【図９】本発明の第７の実施例を示す斜視図である。
【図１０】本発明の第８の実施例を示す斜視図である。
【図１１】本発明の第９の実施例を示す斜視図である。
【符号の説明】
１  腰部
２  大腿部
３  下腿部
４  ギャザー
５  ポケット
５ａ  右前ポケット
５ｂ  左前ポケット
５ｃ  左後ポケット
５ｄ  右後ポケット
６  ポケット開口部
Ｄａ第１のダーツ
Ｄｂ第２のダーツ
Ｋ  腰部１のセンターラインＬａと大腿部２のセンターラインＬｂとによる角度
Ｌａ  腰部１のセンターライン
Ｌｂ  大腿部２のセンターライン
Ｌｃ  下腿部３のセンターライン
【図１】
0003909429.tif 000002
【図２】
0003909429.tif 000003
【図３】
0003909429.tif 000004
【図４】
0003909429.tif 000005
【図５】
0003909429.tif 000006
【図６】
0003909429.tif 000007
【図７】
0003909429.tif 000008
【図８】
0003909429.tif 000009
【図９】
0003909429.tif 000010
【図１０】
0003909429.tif 000011
【図１１】
0003909429.tif 000012